(57)【要約】【課題】この発明は、通常の単焦点カメラをベースとして僅かな改良を加えることにより、接写可能なカメラを得ることを課題とするものである。【解決手段】カメラ本体１の前面に、レンズ、ファインダー、フラッシュに対応した開口部を有する外カバー５を取り付け、前記カメラ本体１と外カバー５との間にスライド板６をスライド移動可能に取り付け、前記スライド板６には接写補助レンズ９とフラッシュの遮蔽部１１を設ける。通常撮影をするときにはスライド板６は外カバー５で隠され、接写撮影をするときにはレンズ及びフラッシュの前方に接写補助レンズ９及びフラッシュの遮蔽部１１が位置するようにして接写用カメラを構成する。【選択図】  図１
2004354582.tif 000002
【特許請求の範囲】
【請求項１】
カメラ本体の前面に、レンズ、ファインダー、フラッシュに対応した開口部を有する外カバーを取り付け、
前記カメラ本体と外カバーとの間にスライド板をスライド移動可能に取り付け、前記スライド板には接写補助レンズと、フラッシュの遮蔽部を設け、
通常撮影をするときにはスライド板は外カバーで隠され、接写撮影をするときにはレンズ、フラッシュの前方に接写補助レンズ及びフラッシュの遮蔽部が位置するようにした、
接写用カメラ
【請求項２】
請求項１の接写用カメラに取り付けられるアームと、アームの先端に取り付けられたフレームとよりなり、
前記アームはフレームが接写用カメラの合焦点位置にある長さとし、
前記フレームは、その内寸が接写用カメラの撮影可能範囲とほぼ一致する寸法とした、
接写用フレーム
【請求項３】
フレームの一隅にはカード差を設けた、請求項２記載の接写用フレーム
【請求項４】
フレームには寸法目盛りを表した、請求項２又は３に記載の接写用フレーム
【発明の詳細な説明】
【０００１】
【発明の属する技術分野】
この発明は、主に子どもの理科観察などに用いる、接写用カメラに関するものである。
【０００２】
【従来の技術】
通常の３５ミリカメラは、最短撮影距離が３０センチ程度以上であり、接写を行うことはできず、蟻のような小型の虫や木の芽など、理科観察の対象となる小さな物を大きな画像として撮影することはできない。
これら小さな被写体を大きな画像として撮影するためには、一眼レフカメラを用意して接写レンズや接写リングを用いる必要があるが、これらは高価であって、子どもの学習補助具としては適当ではない。
【０００３】
また、従来一眼レフ用の機材として、アームの一端をカメラに固定し、他端に接写用被写体を固定できるようにしたものも知られているが、撮影範囲はファインダーで確認する。
【０００４】
【発明が解決しようとする課題】
この発明は、通常の単焦点カメラをベースとして僅かな改良を加えることにより、接写可能なカメラを得ようとするものである。
【０００５】
【課題を解決するための手段】
請求項１の発明は、カメラ本体の前面に、レンズ、ファインダー、フラッシュに対応した開口部を有する外カバーを取り付け、前記カメラ本体と外カバーとの間にスライド板をスライド移動可能に取り付け、前記スライド板には接写補助レンズとフラッシュの遮蔽部を設ける。そして、通常撮影をするときにはスライド板は外カバーで隠され、接写撮影をするときにはレンズ及びフラッシュの前方に接写補助レンズ及びフラッシュの遮蔽部が位置するようにして接写用カメラを構成するものである。
前記遮蔽部は、実施形態に示すスリットの他、すりガラス状とすることもできる。要はフラッシュの光量が接写には多すぎるのでこれが減量される構成であればよい。
この発明の構成はレンズ付きフィルムにも採用することができ、この発明の範囲に含まれるものである。
【０００６】
請求項２の発明は、請求項１の接写用カメラに取り付けられる接写用フレームであって、アームと、アームの先端に取り付けられたフレームとで構成する。前記アームはフレームが接写用カメラの合焦点位置にある長さとし、前記フレームは、その内寸が接写用カメラの撮影可能範囲とほぼ一致する寸法とする。
請求項３の発明は、請求項２の接写用フレームにおいて、フレームの一隅にはカード差を設けたもの、請求項４の発明はフレームに寸法目盛りを表したものである。
【０００７】
【作用】
請求項１の発明において、通常撮影時はスライド板をカメラの位置側に位置させることにより、レンズ、ファインダー、フラッシュは素通しの状態となり、通常のカメラと同様に撮影を行うことができる。
接写撮影時には、スライド板を移動させることにより、レンズの前方に接写補助レンズが、フラッシュの前方に遮蔽部が位置する。補助レンズの存在により接写撮影が可能となると共に、フラッシュの前方に遮蔽部が位置するのでストロボの光量が減量され、接写撮影に適した光量が得られる。
【０００８】
請求項２の発明である接写用フレームをカメラに取り付けると、フレームはピントが合う位置に位置し、かつその内寸は撮影可能範囲とほぼ一致しているので、フレーム内に被写体をおいて撮影すると、適正なピントでかつ所望の位置に被写体が写し込まれた画像を得ることができる。
この接写用フレームを使用するときはファイダーを使用しないので、請求項１のスライド板にファインダーの遮蔽部を設けておくことが好ましい。
請求項３の発明によれば、カード差を設けたので被写体に関するメモを書いたカードをカード差しに取り付けることにより、被写体とメモを１枚の写真に写し込むことができる。
請求項４の発明によれば、  被写体の寸法を写真から読みとることができる。
【０００９】
【発明の実施の形態】
カメラ本体１は一般的な単焦点レンズカメラであり、前面にレンズ２，ファインダー３，フラッシュ４が設けてある。このカメラ本体１の前面に外カバー５が取り付けてあり、前記カメラ本体１と外カバー５との間にスライド板６が、その前方にレンズカバー７がそれぞれスライド可能に装着してある。符号８はシャッターボタンである。
【００１０】
前記スライド板６は、不透明のプラスチック板であって、レンズ２に対応する位置に接写補助レンズ（凸レンズ）９が装着してあり、ファインダー３に対応する位置に遮蔽部１０，フラッシュ４に対応する位置に遮蔽部１１がそれぞれ形成してある。
そして、スライド板６の大きさは、通常撮影時にはスライド板を図中左側に引き込むことにより前記接写補助レンズ９，遮蔽部１０，１１が全て外カバー５に隠され、接写時にスライド板を図中右側へ移動させると接写補助レンズ、遮蔽部がそれぞれ対応する位置に現れるように設定する。
【００１１】
前記ファインダーの遮蔽部１０は、接写時にファインダーが無効である（ファインダーで見える範囲と撮影される範囲が全く異なる）ことを示すためののである。ファインダーを完全に遮蔽してしまう（透光部を設けない）構成でもよいが、カメラの故障と誤解されるおそれがあるので、図面では複数のスリットで構成してある。
前記フラッシュの遮蔽部１１は、通常撮影時のフラッシュ光量は接写時には光量が過剰なので、これを減量するためのものであり、複数のスリットと１つの小窓で構成してある。
図中符号１２はスライド板を操作するためのノブである。
【００１２】
前記レンズカバー７はレンズ２を覆うことのできる大きさのプラスチック板であり、操作用ノブ１３が設けてある。
【００１３】
前記外カバー５は、前記カメラ本体１の前面に嵌合する形状、大きさであり、シャッターボタン８に対応した孔１４，スライド板６の操作ノブ１２に対応した長溝１５，レンズ２に対応した丸孔１６，ファインダー３に対応した方形窓１７，フラッシュ４に対応した方形窓１８、レンズカバー７の操作ノブ１３に対応した長溝１９が設けてある。
【００１４】
また、外カバー５には、後に説明する接写用フレームとの関係で以下の構成が付加されている。
外カバー５の前面両側下部に、接写用フレームの取付部２０が突設してあり、各取付部２０に横向きの係止溝２１と縦向きの係止溝２２が形成してある。
また、外カバー５の両側及び下部は段落とし部２３として、接写用フレームを不使用時に嵌装できるようにしてある。なお、段落とし部２３の上端には係止孔２４が形成してある。
【００１５】
次に、接写用フレーム３１の構成を説明する。
接写用フレーム３１は、フレーム３２と２本のアーム３３とで構成してある。
前記フレーム３２は、下枠３２ａの両側に縦枠３２ｂを連設した態様であり、前記下枠３２ａの両側に縦軸３４を介してアーム３３の基端が回転自在に取り付けてある。
前記フレーム３２の内寸は、接写時における撮影範囲とほぼ一致させてあり、アーム３３の長さは、接写用フレーム３１をカメラに取り付けたときに、フレーム３２が接写時の合焦点位置にあるようにしてある。
前記下枠３２ａの内側及び一方の縦枠３２ｂの内側にカード差し３９となる係止爪が形成してある。また下枠３２ａの内側には寸法目盛４０が表してある。
【００１６】
前記２本のアーム３３の長さは下枠３２ａの長さよりも短くし、縦軸３４への取り付け高さを異にすることで、２本のアーム３３は下枠３２ａと平行にすると上下に重なり合って収納されるようにしてある。また、各アーム３３の先端には係止部３６が、縦枠３２ｂの先端には係止部３７が、下枠３２ａの内側両側には係止部３８がそれぞれ形成してある。
【００１７】
このように構成された接写用フレーム３１は、不使用時にはカメラの外カバー５に取り付けられ、コンパクトに収納される。
すなわち、接写用フレーム３１のアーム３３を下枠３２ａと平行に折り畳み、縦枠３２ｂをカメラの外カバー５の段落とし部２３にあてがいつつ下方からスライドさせる。そうすると、縦枠３２ｂの先端に形成された係止部３７が外カバー５の段落とし部２３の上端に形成された係止孔２４に、下枠３２ａの係止部３８が外カバー５の取付部２０に形成された縦溝２２にそれぞれ係止し、接写用フレーム３１は外カバー５に固定される。そして、前記段落とし部２３の深さと縦枠３２ｂの厚さを同等としておくと、接写用フレーム装着時に外カバーの表面は面一になる。
【００１８】
以下この実施形態のカメラによる接写を説明する。
まず、操作ノブ１２を操作してスライド板６をスライドさせ、接写補助レンズ９，遮蔽部１０，１１をそれぞれレンズ２，ファインダー３，フラッシュ４の前方に位置させる。次いで接写用フレーム３１を外カバー５から取り外し、アーム３３の先端係止部３６を取付部２０の横溝２１に係止させて、接写用フレーム３１を外カバー５に固定する。
この状態で、被写体をフレーム３２内において撮影する。このとき、必要により前記カード差し３９に被写体の説明などを記載したカードなどを差し込み、被写体と共に写しこむ。
【００１９】
接写時はファインダーから見ることのできる範囲と実際に撮影される範囲とは全く異なる。そこでファインダーを覗かずフレーム３２をガイドとして撮影を行う。
【００２０】
【発明の効果】
この発明の接写用カメラによれば、スライド板に接写補助レンズとフラッシュの遮蔽部を設けたので、接写撮影時にフラッシュの光量を自動的に減量することができ、適正露出の写真を撮影することができる。
この発明の接写用フレームは、接写時の撮影範囲のガイドとなるので、ファインダーを利用することができない接写撮影においても、被写体を最適な位置に置いて撮影することができる。またフレームの位置は適正ピントの位置としてあるので、ピンボケの失敗も解消できる。
したがって、この発明の接写用カメラと接写用フレームとを組み合わせて使用することにより、ミスのない接写を行うことができる。
また、フレームにカード差しを設けたり、寸法目盛りを表したりすると、写真の情報量が増し、記録価値を一層高めることができる。
【図面の簡単な説明】
【図１】この発明のカメラの実施形態の分解斜視図
【図２】同じく接写用フレーム不使用時の正面図
【図３】同じく接写用フレーム使用時の分解斜視図
【図４】この発明の接写用フレームの背面側斜視図
【符号の説明】
１    カメラ本体
２    レンズ
３    ファインダー
４    フラッシュ
５    外カバー
６    スライド板
７    レンズカバー
８    シャッターボタン
９    接写補助レンズ
１０  遮蔽部
１１  遮蔽部
１２  操作用ノブ
１３  操作用ノブ
１４  孔
１５  長溝
１６  丸孔
１７  窓
１８  窓
１９  長溝
２０  取付部
２１  横溝
２２  縦溝
２３  段落とし部
２４  係止孔
３１  接写用フレーム
３２  フレーム
３２ａ  下枠
３２ｂ  縦枠
３３  アーム
３４  縦軸
３６，３７，３８  係止部
３９  カード差し
４０  寸法目盛
【図１】
2004354582.tif 000003
【図２】
2004354582.tif 000004
【図３】
2004354582.tif 000005
【図４】
2004354582.tif 000006